(57)【要約】      （修正有）【課題】汎用性が高い放熱モジュールのフレーム構造を提供する。【解決手段】第１のフレーム５体および第２のフレーム体６からなり、第１のフレーム体５の内部には第１の通路５２が形成され、第１のフレーム体５の内側は第１の通路５２の方向に内部に延伸した複数の係合部５１を含み、第２のフレーム体６は第１のフレーム体５の第１の通路５２に設置される。第２のフレーム体６は、第１のフレーム体５の係合部５１に対応する複数の対向係合部６１を含み、対向係合部６１は、互いに連通する移動空間６１１および複数の係合溝６１２を含み、互いに対応する第１のフレーム体５と第２のフレーム体６とを垂直に移動し、回動することにより、係合部５１が係合溝６１２内に嵌入される。第１のフレーム体５と第２のフレーム体６との間の高さを変更することができるため、様々な高さの放熱フィンに組み合わせることができる。【選択図】図４
0003154335.tif 000002
【実用新案登録請求の範囲】
【請求項１】
複数の係合部を含み、内部に第１の通路が形成された第１のフレーム体と、
前記第１のフレーム体の第１の通路内に設置され、前記第１の係合部に対応する複数の係合溝を有する複数の対向係合部を含む第２のフレーム体と、を含み、
互いに対応する前記第１のフレーム体と前記第２のフレーム体とを回動させることにより、前記係合部が前記係合溝内に嵌入されることを特徴とする放熱モジュールのフレーム構造。
【請求項２】
前記係合部は、前記第１の通路の方向に内部に延伸することを特徴とする請求項１記載の放熱モジュールのフレーム構造。
【請求項３】
前記対向係合部は、前記各係合溝を連通する移動空間を含むことを特徴とする請求項１記載の放熱モジュールのフレーム構造。
【請求項４】
前記第２のフレームは、前記第１の通路を垂直に変移し、前記係合部は、前記移動空間を垂直に変移し、互いに対応する前記第１のフレーム体と前記第２のフレーム体とを回動することにより、前記係合部は、前記係合溝内に嵌入されることを特徴とする請求項３記載の放熱モジュールのフレーム構造。
【請求項５】
前記第１のフレーム体の外側は、貫通した孔部を有する複数の脚部を含むことを特徴とする請求項１記載の放熱モジュールのフレーム構造。
【請求項６】
前記第２のフレーム体の外側は、複数の鉤部を含むことを特徴とする請求項１記載の放熱モジュールのフレーム構造。
【請求項７】
前記第２のフレーム体の外側は、複数の位置決め部材を含むことを特徴とする請求項１記載の放熱モジュールのフレーム構造。
【請求項８】
前記第２のフレーム体内には、第２の通路が形成されることを特徴とする請求項１記載の放熱モジュールのフレーム構造。
【請求項９】
前記第２のフレーム体の外側は、複数の凹陥部を含み、前記凹陥部が前記第１のフレーム体の外側の脚部に係合接続されることにより、前記第１のフレーム体と第２のフレーム体との接続が強化されることを特徴とする請求項５記載の放熱モジュールのフレーム構造。
【考案の詳細な説明】
【技術分野】
【０００１】
本考案は、フレーム構造に関し、特に、様々な高さの放熱フィンに組み合わせることができるため、汎用性が高く、金型を開発するコストを低減することができる放熱モジュールのフレーム構造に関する。
【背景技術】
【０００２】
近年、電子情報技術の急速な発展に伴い、電子製品（例えば、デスクトップコンピュータ、ノートパソコンなど）は、多くのユーザに使用され、また、応用範囲もさらに広がっている。電子製品の中で、コンピュータを例とすると、ＣＰＵの演算処理速度が高まり、アクセス容量が増加しているため、ＣＰＵの発熱量は、相対的に高まっている。
【０００３】
従来の電子装置は、運転するとき、内部の電子素子が発熱するため、放熱ユニットにより、放熱効率を増大させ、熱で電子素子の機能が低下したり、破損したりするのを防止する必要がある。このため、放熱フィンセットまたは放熱装置に、少なくとも１つの放熱ファンが組み合わされる。放熱ファンが放熱ユニットに対して強制放熱を行うことにより、電子装置全体の放熱効率を増大させる。また、一般に使用される放熱フィンセットまたは放熱装置は、発熱する電子素子上に安定的に固定設置されることにより、有効に熱を伝導し、放熱を行うことができる。
【０００４】
図１および図２を参照する。図１および図２に示すように、従来の放熱モジュールのフレーム構造は、主に、上端に、端面１１を有するフレーム体１を含み、下端に、カバー部１２を含む。端面１１には、放熱ファン２が設置される。カバー部１２内には、放熱フィン３が収容される。放熱フィン３が発熱素子に貼設された後、放熱フィン３に対応するフレーム体１は、カバー部１２を介し、放熱フィン３に覆設される。しかし、フレーム体１は、一種類の放熱フィン３にしか組み合わせることができず、寸法の異なる放熱フィン３をフレーム体１のカバー部１２に収容することができない。即ち、フレーム体１を寸法の異なる放熱フィン３に使用する場合、放熱フィン３の大きさに対応するフレーム体１の金型を新たに開発する必要があるため、従来の放熱モジュールのフレーム構造は、汎用性がない上、金型を開発するコストが高かった。
【０００５】
即ち、従来の放熱モジュールの構造は、以下の欠点を有する。
１  汎用性がない。
２  金型を開発するコストが高い。
従って、上述の問題および欠点を如何に解決するかは、本考案の考案者および当業者の研究目標であった。
【先行技術文献】
【特許文献】
【０００６】
【特許文献１】特開２００９−７６７０８号公報
【考案の概要】
【考案が解決しようとする課題】
【０００７】
本考案の第１の目的は、汎用性が高く、様々な寸法の放熱フィンに設置することができる放熱モジュールのフレーム構造を提供することにある。
本考案の第２の目的は、金型を開発するコストを低減することができる放熱モジュールのフレーム構造を提供することにある。
【課題を解決するための手段】
【０００８】
上述の課題を解決するために、本考案は、放熱モジュールのフレーム構造を提供するものである。フレーム構造は、第１のフレーム体および第２のフレーム体を含む。第１のフレーム体の内部には、第１の通路が形成される。第１のフレーム体は、第１の通路の方向に内部に延伸する複数の係合部を含む。第２のフレーム体は、第１のフレーム体の第１の通路に設置される。第２のフレーム体は、第１のフレーム体の係合部に対応する複数の対向係合部を含む。対向係合部は、互いに連通する移動空間および複数の係合溝を含む。互いに対応する第１のフレーム体と第２のフレーム体とを垂直に移動し、回動することにより、係合部が係合溝内に嵌入されるため、第１のフレーム体と第２のフレーム体との間の高さを変更することができ、様々な高さの放熱フィンに組み合わせることができる。従って、放熱モジュールのフレーム構造は、汎用性が高く、金型を開発するコストを低減することができる。
【考案の効果】
【０００９】
本考案の放熱モジュールのフレーム構造は、第１のフレーム体と第２のフレーム体との間の高さを変更することができるため、様々な高さの放熱フィンに組み合わせることができる。従って、放熱モジュールのフレーム構造は、汎用性が高く、金型を開発するコストを低減することができる。
【図面の簡単な説明】
【００１０】
【図１】従来技術によるフレーム構造を示す斜視図である。
【図２】従来技術によるフレーム構造を使用するときの状態を示す斜視図である。
【図３】本考案の一実施形態によるフレーム構造を示す斜視図である。
【図４】本考案の一実施形態によるフレーム構造を示す分解斜視図である。
【図５】本考案の一実施形態によるフレーム構造に、放熱フィンと放熱ファンとを組み合わせた状態を示す斜視図である。
【図６】本考案の一実施形態によるフレーム構造の高さを調整する様子を示す斜視図である。
【図７】本考案の一実施形態によるフレーム構造の高さを調整する様子を示す斜視図である。
【図８】高さを調整した後の本考案の一実施形態によるフレーム構造に、放熱フィンと放熱ファンとを組み合わせた状態を示す斜視図である。
【考案を実施するための形態】
【００１１】
本考案の目的、特徴および効果を示す実施形態を図面に沿って詳細に説明する。ここで、図面は、参考および説明のために示すものであり、本考案を限定するものではない。
【００１２】
ここで、図３および図４を同時に参照して説明する。図３および図４に示すように、本実施形態による放熱モジュールのフレーム構造４は、第１のフレーム体５および第２のフレーム体６から構成される。第１のフレーム体５内には、第１の通路５２が形成される。第１のフレーム体５は、第１の通路５２の方向に内部に延伸する複数の係合部５１を含む。第１のフレーム体５の外側は、貫通した孔部５３１を有する複数の脚部５３をさらに含む。第２のフレーム体６は、第１のフレーム体５の第１の通路５２内に設置される。第２のフレーム体６は、複数の対向係合部６１を含む。対向係合部６１は、移動空間６１１と、移動空間６１１に連通する複数の係合溝６１２と、を含む。第２のフレーム体６は、内部に、第２の通路６２を含み、外側に、複数の鉤部６３、複数の位置決め部材６４および複数の凹陥部６５を含む。凹陥部６５は、第１のフレーム体５の外側の脚部５３に係合接続される。
【００１３】
図４および図５を参照して説明する。第１のフレーム体５は、発熱ユニット７上に架設される。第１のフレーム体５は、外側の脚部５３を介し、発熱ユニット７上に接続される。脚部５３の中心は、貫通した孔部５３１を含む。第１のフレーム体５は、脚部５３の孔部５３１にロック部材（図示せず）が貫設されることにより、発熱ユニット７上に固定される。第１のフレーム体５の第１の通路５２の位置には、第２のフレーム体６が設置される。第２のフレーム体６の外径は、第１のフレーム体５の内径と等しいか若干小さい。第１の通路５２の方向に延伸する第１のフレーム体５の係合部５１は、第２のフレーム体６の対向係合部６１に対応する。係合部５１は、対向係合部６１の移動空間６１１内に設置される。移動空間６１１は、各係合溝６１２に連通する。係合部５１は、移動空間６１１から係合溝６１２内まで水平移動する。
【００１４】
本実施形態において、第１のフレーム体５は、脚部５３を介し、発熱ユニット７上に固定される。第１のフレーム体５の係合部５１は、第２のフレーム体６の最高位置の係合溝６１２内に嵌入される。第２のフレーム体６内には、放熱フィン８が収容される。即ち、放熱フィン８は、第２のフレーム６と発熱ユニット７との間に設置される。放熱フィン８の寸法は、第１のフレーム体５および第２のフレーム体６により形成される空間に符合するため、放熱フィン８を第２のフレーム体６と発熱ユニット７との間に安定的に設置することができる。また、第２のフレーム体６の外側は、第１のフレーム体５の脚部５３に係合接続される凹陥部６５を含むため、第２のフレーム体６を第１のフレーム体５上に有効に位置決めすることができる。また、第２のフレーム体６上には、第２のフレーム体６の外側の鉤部６３および位置決め部材６４を介し、放熱ファン９が設置される。フレーム構造４は、放熱フィン８および放熱ファン９を有効に位置決めすることにより、発熱ユニット７の放熱を行うことができる。本考案の一実施形態によるフレーム構造４は、様々な寸法の放熱フィン８を収容することができるため、金型を開発するコストを低減することができる。
【００１５】
図６、図７および図８を参照して説明する。放熱フィン８の寸法は、発熱ユニット７に基づいて変更される。放熱フィン８の寸法を変更するとき、第２のフレーム体６を調整することにより、放熱フィン８に組み合わされるフレーム構造４の収容空間の高さを変更することができる。フレーム構造４の第１のフレーム体５は、発熱ユニット７上に固定される。第２のフレーム体６は、第１のフレーム体５上に架設される。第１のフレーム体５から延伸された係合部５１は、第２のフレーム体６の対向係合部６１に形成された係合溝６１２に嵌入される。フレーム構造４を異なる寸法の放熱フィン８に組み合わせたいとき、第２のフレーム体６を回動することにより、第１のフレーム体５の係合部５１を係合溝６１２から外し、移動空間６１１の位置まで移動させる。
【００１６】
このとき、第２のフレーム体６を上下に変移させ、放熱フィン８の高さに合わせ、第２のフレーム体６の高さを調整することができる。本実施形態においては、第２のフレーム６を最高位置まで上昇させ、係合部５１を最低位置の係合溝６１２に対応させ、その後、第２のフレーム体６を回動させ、係合部５１を最低位置の係合溝６１２内に嵌入した。このとき、第２のフレーム体６の外側の凹陥部６５は、第１のフレーム体５の脚部５３に復位するため、第２のフレーム体６を第１のフレーム体５上に有効に位置決めし、係合部５１を係合溝６１２内に位置決めすることができる。また、放熱フィン８は、第１の通路５２および第２の通路６２内に安定的に設置される。また、第２のフレーム体６上には、第２のフレーム体６の外側の鉤部６３および位置決め部材６４を介し、放熱ファン９が設置される。本実施形態によるフレーム構造４は、様々な寸法の放熱フィン８に応用することができるため、金型を開発するコストを低減することができる。
【００１７】
以上の詳細な説明は、本考案の実施可能な実施形態を示したものであり、本考案を限定するものではない。また、本考案を逸脱しない範囲において、当業者が容易に考え得る変更および修飾は、すべて本考案の実用新案登録請求の範囲に含まれる。
【符号の説明】
【００１８】
４      フレーム構造
５      第１のフレーム体
５１    係合部
５２    第１の通路
５３    脚部
５３１  孔部
６      第２のフレーム体
６１    対向係合部
６１１  移動空間
６１２  係合溝
６２    第２の通路
６３    鉤部
６４    位置決め部材
６５    凹陥部
７      発熱ユニット
８      放熱フィン
９      放熱ファン
【図１】
0003154335.tif 000003
【図２】
0003154335.tif 000004
【図３】
0003154335.tif 000005
【図４】
0003154335.tif 000006
【図５】
0003154335.tif 000007
【図６】
0003154335.tif 000008
【図７】
0003154335.tif 000009
【図８】
0003154335.tif 000010